(57)【要約】【課題】  平地や傾斜地のコーナーを含めて支柱上で手摺バーを任意の角度に連結できる自在継手を提供する。【解決手段】  支柱５上に支持ブロック３を介して上下位一対の半球ブロック１ａ，１ｂを水平回動自在に設置する一方，該半球ブロック１ａ，１ｂに垂直突片１１を，該垂直突片に半球ブロック１ａ，１ｂの湾曲側面と同心円の湾曲ガイド溝１２を設置し，左右一対のブラケット２ａ，２ｂにおけるブラケット本体２１と挟持部材２３とによって垂直突片１１をその挟持溝２４に挟持するとともにその挟持面に突設したガイド突起２６を上記湾曲ガイド溝１２に嵌合することによって半球ブロック１ａ，１ｂに対してブラケット２ａ，２ｂを上下首振り自在とする。半球ブロック１ａ，１ｂの水平回動とブラケット２ａ，２ｂの首振りによって手摺バー６の連結角度を自在化できる。【選択図】  図１
2007092359.tif 000002
【特許請求の範囲】
【請求項１】
湾曲側面と同心円をなす垂直方向の湾曲ガイド溝を形成した垂直突片をそれぞれ湾曲側面に突設具備した上下位一対の半球ブロックと，該半球ブロックの垂直突片を挟持し該挟持面に配置したガイド突起を上記湾曲ガイド溝に嵌合するとともに半球ブロックとの対接面をその湾曲側面と同心円の凹陥面とすることによって該半球ブロックに垂直方向回動自在に配置した左右一対にして上下反転使用の手摺バー連結用のブラケットと，上記上下位一対の半球ブロックを水平方向回動自在の球体として軸支固定することによって支柱上端に載置固定する支持ブロックとを備えてなることを特徴とする手摺の自在継手。
【請求項２】
上記上下位一対の半球ブロックを，一方を上位配置の上り傾斜用としてその垂直突片とその湾曲ガイド溝を湾曲側面中間位置から直径面を超えてその交差方向に突出して一連に配置し，他方を下位配置の下り傾斜用として直径面から湾曲側面の下部位置に向けて一連に配置する一方，左右一対のブラケットのガイド突起を，上記上り傾斜用の半球ブロックにおいて該ガイド突起が上記湾曲ガイド溝の下端に位置するとき，また下り傾斜用の半球ブロックにおいて上端に位置するとき各ブラケットが水平となるように各ブラケットの中心線よりそれぞれ下方位置に配置してなることを特徴とする請求項１に記載の手摺の自在継手。
【請求項３】
上記左右一対のブラケットを，挟持面を露出したブラケット本体と，該ブラケット本体に装着固定して該ブラケット本体とともに上記半球ブロックの垂直突片の挟持溝を形成する挟持面を有する挟持部材とを備えてそれぞれ分割形成し且つ該ブラケット本体と挟持部材の各挟持面に上記ガイド突起を対向配置してなることを特徴とする請求項１又は２に記載の手摺の自在継手。
【請求項４】
上記左右一対のブラケットを，その一方を上り傾斜の手摺バー用としてその上記半球ブロックとの対接面を正面円弧形状とし，他方を下り傾斜の手摺バー用としてその上記半球ブロックとの対接面の下端部を欠如した欠如部を配置した正面部分欠如の円弧形状としてなることを特徴とする請求項１，２又は３に記載の手摺の自在継手。
【発明の詳細な説明】
【技術分野】
【０００１】
本発明は手摺に関し，特に傾斜地のコーナー等に３次元的な手摺バーの連結を可能とした手摺の自在継手に関する。
【背景技術】
【０００２】
この種自在継手として，例えば前後回動自在に軸支固定した前後一対の回動ブロックと，該回動ブラケットをそれぞれ手摺バーに取付ける左右一対の取付金具と，該取付金具をＶ字一方の支持部に角度自在に支持する左右一対のＶ字支持金具と，上下位一対のリングを水平回動自在に備え該リングにそれぞれ上記左右一対のＶ字支持金具のスライド部を垂直方向スライド自在に固定して支柱上端に載置固定する支持ブロックとを備えることによって，手摺バーの３次元的な連結を可能として，その平地，傾斜地における角度自在の傾斜連結，コーナーにおける角度自在の曲げ連結をなし得るようにしたものが知られている。
【０００３】
【特許文献１】特開２００３―３０７００４号公報
【発明の開示】
【発明が解決しようとする課題】
【０００４】
この場合，例えば公園等の手摺に使用して手摺バーの上記３次元的な連結を行うに適したものとすることができるが，自在継手を，それぞれ一対の回動ブロック，取付金具及びＶ字支持金具と，上下位一対のリングを備えた支持ブロックによって構成することによって部材数が多く，これによって手摺バーの連結作業が煩雑化する傾向がある。
【０００５】
本発明はかかる事情に鑑みてなされたもので，その解決課題とするところは，可及的に少ない部材によって構成するとともに連結作業を可及的に容易になし得るようにする一方，手摺バーの３次元的な連結をなし得るようにした自在継手を提供するにある。
【課題を解決するための手段】
【０００６】
上記課題に沿って本発明は，上下位一対の半球ブロックと，該半球ブロックの湾曲側面に摺接して垂直方向に回動自在の手摺バー連結用にして左右一対のブラケットと，上記半球ブロックを水平回動自在の球体として支柱上端に軸支固定する支持ブロックとの５部材によって自在継手を構成するようにし，上記半球ブロックの湾曲側面に突設した垂直突片に該湾曲側面と同心円の湾曲ガイド溝を配置する一方，ブラケットに該垂直突片を挟持して湾曲ガイド溝に嵌合するガイド突起を配置し，これら湾曲ガイド溝とガイド突起の案内によって半球ブロックの上記湾曲側面に対するブラケットを上下首振り状に摺接してその垂直方向の回動を自在とし，半球ブロックの水平回動とによって手摺バーの３次元的な連結を可能としたものであって，即ち請求項１に記載の発明を，湾曲側面と同心円をなす垂直方向の湾曲ガイド溝を形成した垂直突片をそれぞれ湾曲側面に突設具備した上下位一対の半球ブロックと，該半球ブロックの垂直突片を挟持し該挟持面に配置したガイド突起を上記湾曲ガイド溝に嵌合するとともに半球ブロックとの対接面をその湾曲側面と同心円の凹陥面とすることによって該半球ブロックに垂直方向回動自在に配置した左右一対にして上下反転使用の手摺バー連結用のブラケットと，上記上下位一対の半球ブロックを水平方向回動自在の球体として軸支固定することによって支柱上端に載置固定する支持ブロックとを備えてなることを特徴とする手摺の自在継手としたものである。
【０００７】
請求項２に記載の発明は，上記に加えて，上下位における上位配置の半球ブロックの湾曲ガイド溝をその底面をなす直径面の上下に亘るように配置した上り傾斜用とし，下位配置の半球ブロックの湾曲ガイド溝をその上面をなす直径面より下方に配置した下り傾斜用とし，該湾曲ガイド溝に嵌合するブラケットを，そのガイド突起が上り傾斜用の半球ブロックにおいてその湾曲ガイド溝の下端に，下り傾斜用の半球ブロックにおいてその湾曲ガイド溝の上端に位置するときにそれぞれ水平となるように配置することによって，半球ブロックの垂直突片の向きにより水平と傾斜の双方に使用し得るとともに，例えばブラケットを共通部品とした場合を含めて，上記上下首振り状の摺接による傾斜角度を可及的に大きく確保したものとするように，これを，上記上下位一対の半球ブロックを，一方を上位配置の上り傾斜用としてその垂直突片とその湾曲ガイド溝を湾曲側面中間位置から直径面を超えてその交差方向に突出して一連に配置し，他方を下位配置の下り傾斜用として直径面から湾曲側面の下部位置に向けて一連に配置する一方，左右一対のブラケットのガイド突起を，上記上り傾斜用の半球ブロックにおいて該ガイド突起が上記湾曲ガイド溝の下端に位置するとき，また下り傾斜用の半球ブロックにおいて上端に位置するとき各ブラケットが水平となるように各ブラケットの中心線よりそれぞれ下方位置に配置してなることを特徴とする請求項１に記載の手摺の自在継手としたものである。
【０００８】
請求項３に記載の発明は，同じく上記に加えて，半球ブロックの湾曲ガイド溝に対するブラケットのガイド突起の嵌合を湾曲ガイド溝の両側において行うことによってブラケットの上記上下首振り状の摺接を可及的に安定したものとするとともに該湾曲ガイド溝に対するガイド突起の両側嵌合を手摺設置の現場で容易になし得るものとするように，これを，上記左右一対のブラケットを，挟持面を露出したブラケット本体と，該ブラケット本体に装着固定して該ブラケット本体とともに上記半球ブロックの垂直突片の挟持溝を形成する挟持面を有する挟持部材とを備えてそれぞれ分割形成し且つ該ブラケット本体と挟持部材の各挟持面に上記ガイド突起を対向配置してなることを特徴とする請求項１又は２に記載の手摺の自在継手としたものである。
【０００９】
請求項４に記載の発明は，同じく上記に加えて，半球ブロックと対接するブラケットの対接面を正面円弧状とすることによってブラケットは半球ブロックの球体に外観よく対接して違和感を生じることがないものとし得るが，傾斜地の傾斜が急な場合に，下り傾斜の手摺バー用に下位の半球ブロックに配置したブラケットの下端が上記支持ブロックに衝接して，その上下首振りの回動角度が制限される可能性を生じるところ，左右一対のブラケットを上り傾斜用と下り傾斜用の２種類として，設置状態で目につき易い上り傾斜用のブラケットの対接面を正面円弧状としてその外観を良好に確保する一方，外観への影響が少ない下り傾斜用のブラケットの対接面を，その下端を欠如した部分日食の月形状の如き正面部分欠如の円弧形状とすることによって支持ブロックとの衝接を回避して上記回動角度を可及的に拡大して確保し得るものとするように，これを，上記左右一対のブラケットを，その一方を上り傾斜の手摺バー用としてその上記半球ブロックとの対接面を正面円弧形状とし，他方を下り傾斜の手摺バー用としてその上記半球ブロックとの対接面の下端部を欠如した欠如部を配置した正面部分欠如の円弧形状としてなることを特徴とする請求項１，２又は３に記載の手摺の自在継手としたものである。
【００１０】
本発明はこれらをそれぞれ発明の要旨として上記課題解決の手段としたものである。
【００１１】
なお本発明で半球ブロックとは完全な半球形状のもの，実施形態に示すようにその頂部先端を裁頭した形状のものの双方を含む意味に用いる。
【発明の効果】
【００１２】
本発明は以上のとおりに構成したから，請求項１に記載の発明は，上下位一対の半球ブロックと，該半球ブロックの湾曲側面に摺接して垂直方向に回動自在の手摺バー連結用のブラケットと，上記半球ブロックを水平回動自在の球体として支柱上端に軸支固定する支持ブロックとの５部材によって自在継手を構成するようにし，上記半球ブロックの湾曲側面に突設した垂直突片に該湾曲側面と同心円の湾曲ガイド溝を配置する一方，ブラケットに該垂直突片を挟持して湾曲ガイド溝に嵌合するガイド突起を配置し，これら湾曲ガイド溝とガイド突起の案内によって半球ブロックの上記湾曲側面に対するブラケットを上下首振り状に摺接してその垂直方向の回動を自在とし，半球ブロックの水平回動とによって手摺バーの３次元的な連結を可能として，可及的に少ない部材によって構成するとともに連結作業を可及的に容易になし得るようにして手摺バーの３次元的な連結をなし得るようにした自在継手を提供することができる。
【００１３】
請求項２に記載の発明は，上記に加えて，上下位における上位配置の半球ブロックの湾曲ガイド溝をその底面をなす直径面の上下に亘るように配置した上り傾斜用とし，下位配置の半球ブロックの湾曲ガイド溝をその上面をなす直径面より下方に配置した下り傾斜用とし，該湾曲ガイド溝に嵌合するブラケットを，そのガイド突起が上り傾斜用の半球ブロックにおいてその湾曲ガイド溝の下端に，下り傾斜用の半球ブロックにおいてその湾曲ガイド溝の上端に位置するときにそれぞれ水平となるように配置することによって，半球ブロックの垂直突片の向きにより水平と傾斜の双方に使用し得るとともに，例えばブラケットを共通部品とした場合を含めて，上記上下首振り状の摺接による傾斜角度を可及的に大きく確保したものとすることができる。
【００１４】
請求項３に記載の発明は，同じく上記に加えて，半球ブロックの湾曲ガイド溝に対するブラケットのガイド突起の嵌合を湾曲ガイド溝の両側において行うことによってブラケットの上記上下首振り状の摺接を可及的に安定したものとするとともに該湾曲ガイド溝に対するガイド突起の両側嵌合を手摺設置の現場で容易になし得るものとすることができる。
【００１５】
請求項４に記載の発明は，同じく上記に加えて，左右一対のブラケットを上り傾斜用と下り傾斜用の２種類として，設置状態で目につき易い上り傾斜用のブラケットの対接面を正面円弧状としてその外観を良好に確保する一方，外観への影響が少ない下り傾斜用のブラケットの対接面を，その下端を欠如した正面部分欠如の円弧形状とすることによって支持ブロックとの衝接を回避して上記回動角度を可及的に拡大して確保し得るものとすることができる。
【発明を実施するための最良の形態】
【００１６】
以下図面の例に従って本発明を更に具体的に説明すれば，  Ａは手摺の自在継手であり，該自在継手Ａは，上下位一対の半球ブロック１ａ，１ｂと，該半球ブロック１ａ，１ｂの湾曲側面に摺接して垂直方向に回動自在の手摺バー６連結用にして左右一対のブラケット２ａ，２ｂと，上記半球ブロック１ａ，１ｂを水平回動自在の球体として支柱５上端に軸支固定する支持ブロック３とによって構成したものとしてあり，上下位一対の半球ブロック１ａ，１ｂは，その湾曲側面と同心円をなす垂直方向の湾曲ガイド溝１２を形成した垂直突片１１をそれぞれ湾曲側面に突設具備したものとし，左右一対のブラケット２ａ，２ｂは，上記半球ブロック１ａ，１ｂの垂直突片１１を挟持し該挟持面に配置したガイド突起２６を上記湾曲ガイド溝１２に嵌合するとともに半球ブロック１ａ，１ｂとの対接面をその湾曲側面と同心円の凹陥面とすることによって該半球ブロック１ａ，１ｂに垂直方向回動自在に配置した上下反転使用のものとし，支持ブロック２は，上記上下位一対の半球ブロック１ａ，１ｂを水平方向回動自在の球体として軸支固定することによって支柱５上端に載置固定するものとしてある。
【００１７】
本例にあって半球ブロック１ａ，１ｂ，ブラケット２ａ，２ｂ，支持ブロック３は，例えばこれらをそれぞれアルミ鋳物で成形した部品とすることによって該自在継手Ａをアルミ鋳物製のものとしてあり，このとき本例の上記上下位一対の半球ブロック１ａ，１ｂは，これを，一方を上位配置の上り傾斜用としてその垂直突片１１とその湾曲ガイド溝１２を湾曲側面中間位置から直径面を超えてその交差方向に突出して一連に配置し，他方を下位配置の下り傾斜用として直径面から湾曲側面の下部位置に向けて一連に配置する一方，左右一対のブラケット２ａ，２ｂのガイド突起２６を，上記上り傾斜用の半球ブロック１ａにおいて該ガイド突起２６が上記湾曲ガイド溝１２の下端に位置するとき，また下り傾斜用の半球ブロック１ｂにおいて上端に位置するとき各ブラケット２ａ，２ｂが水平となるように各ブラケット２ａ，２ｂの中心線よりそれぞれ下方に配置したものとしてある。
【００１８】
即ち上下位一対の半球ブロック１ａ，１ｂは，その底面をなす直径面を対接することによって球体をなすように，該球体をその中心点を通る面で２分割したものとし，本例にあっては更にその頂部先端を裁頭し，該裁頭部の中央に円形凹陥部１３を配置して形成した半球形態をなし，その湾曲側面に上記垂直突片１１を一体に形成し，またその平面中央位置に球体を貫通するようにそれぞれ軸支用の透孔１４を透設したものとしてある。
【００１９】
本例にあって上記垂直突片１１は，上下位一対のうち上位配置の半球ブロック１ａにおいて，該半球ブロック１ａの略１／２高さ位置からその直径面と４５度程度の角度をなす位置に至る長さにして外側を半球ブロック１ａの湾曲側面と同心円をなして断面矩形に突出するとともに先端を先細り状とするように該半球ブロック１ａから側方に突出してあり，またその湾曲ガイド溝１２は，垂直突片１１の長さの両端を除いた略全長に亘って同じく半球ブロック１ａの湾曲側面と同心円をなして湾曲方向一連にして前後方向を貫通して透設してあり，また上下位一対のうち下位配置の半球ブロック１ｂにおいて，該半球ブロック１ｂの直径面位置からその湾曲側面下部，上記裁頭した本例にあっては湾曲側面下端位置に至る長さにして，同様に外側を半球ブロック１ｂの湾曲側面と同心円をなして断面矩形に突出するとともに先端を先細り状とするように該半球ブロック１ｂから側方に突出し，またその湾曲ガイド溝１２は，同じく該垂直突片１１の長さの両端を除いた略全長に亘って半球ブロック１ｂの湾曲側面と同心円をなして湾曲方向一連にして前後方向を貫通して透設してある。
【００２０】
左右一対のブラケット２ａ，２ｂは，上記半球ブロック１ａ，１ｂの湾曲側面に摺接する対接面２５と，該対接面２５に開口して上記各半球ブロック１ａ，１ｂの垂直突片１１を摺動自在に受入れ挟持する挟持溝２４と，該挟持溝２４内に突出して上記湾曲ガイド溝１２に嵌合するガイド突起２６と，手摺バー６の長手方向端部を連結する手摺バー連結部２８とを備えたものとしてある。
【００２１】
本例にあって左右一対のブラケット２ａ，２ｂは，これを，挟持面を露出したブラケット本体２１と，該ブラケット本体２１に装着固定して該ブラケット本体２１とともに上記半球ブロック１ａ，１ｂの垂直突片１１の挟持溝２４を形成する挟持面を有する挟持部材２３とを備えてそれぞれ分割形成し且つ該ブラケット本体２１と挟持部材２３の各挟持面に上記ガイド突起２６を対向配置したものとし，また該左右一対のブラケット２ａ，２ｂは，これを，その一方を上り傾斜の手摺バー用としてその上記半球ブロック１ａとの対接面２５を正面円弧形状とし，他方を下り傾斜の手摺バー用としてその上記半球ブロック１ｂとの対接面２５の下端部を欠如した欠如部２７を配置した正面部分欠如の円弧形状としてある。
【００２２】
即ち本例のブラケット本体２ａ，２ｂ  は，手摺バー６の形状に合せて，例えば半割り円形状とし上記垂直突片１１の垂直の挟持面を露出した基部２２と，該基部２２の半球ブラケット１ａ，１ｂ  側における正面に配置した，上り傾斜の手摺バー用において半割り円弧形状とし，また下り傾斜の手摺バー用において正面部分欠如の半割り円弧形状とした各対接面２５と，上記基部２２の垂直の挟持面に設置した湾曲ガイド溝１２深さの１／２乃至それ以下の突出高さにして該基部２２の上記中心線より下方位置，本例にあっては下端近傍位置のガイド突起２６と，上記基部２２の後方に突設して，本例にあってパイプ状とした手摺バー６の中空部に嵌合固定する，本例にあって中空部の側面に合せて円弧面を形成した厚肉板状の上記手摺バー連結部２８とを備えたものとしてある。
【００２３】
また上記挟持部材２３は，上記半割り円形状の基部２２に突合せてネジ等で固定することによって上記基部２２の垂直の挟持面に対向し，該挟持面とともに上記半球ブロック１ａ，１ｂの垂直突片１１を受入れ挟持する挟持溝２４を形成する同じく垂直の挟持面と，上記上り傾斜の手摺バー用のブラケット２ａにおけるブラケット本体２１に突合せ固定する挟持部材２３にあっては該ブラケット本体２１における基部２２の対接面を円弧形状と補完するように半割り円弧形状とし，また下り傾斜の手摺バー用のブラケット２ｂにおけるブラケット本体２１に突合せ固定する挟持部材２３にあっては該ブラケット本体２１における基部２２の対接面２５を部分欠如の円弧形状と補完するように下端を部分欠如した半割り円弧形状とした各対接面２５と，上記垂直の挟持面に設置した同じく湾曲ガイド溝１２深さの１／２乃至それ以下の突出高さにして同じくその上記中心線より下方位置，本例にあっては下端近傍位置のガイド突起２６とを備えたものとしてある。
【００２４】
本例の支持ブロック３は，例えば本例にあってパイプ状とした支柱５にその上端から嵌合しネジ等によって固定する嵌合脚３１と，該嵌合脚３１から上方に先細り状とするように起立した円形基部３２と，該円形基部３２の上端に半球ブロック１ａ，１ｂの上記円形凹陥部１３に嵌合する円形嵌合突起３３と，該円形嵌合突起３３に形成し雌ネジを刻設し又はボルト４によるタップ切り用としたボルト受孔３４とを備えたものとしてある。
【００２５】
このように形成した半球ブロック１ａ，１ｂ，ブラケット２ａ，２ｂ，支持ブロック３による自在継手Ａは，支柱５上端にその嵌合脚３１を嵌合固定することによって支柱５上端に支持ブロック３を配置し，該支持ブロック３の円形嵌合突起３３を円形凹陥部１３に嵌合して，上記下り傾斜の手摺バー用下位の半球ブロック１ｂを支持ブロック３に載置するとともに直径面を相互に対接するように該半球ブロック１ｂ上に，上り傾斜の手摺バー用上位の半球ブロック１ａを載置して支持ブロック３上にこれら半球ブロック１ａ，１ｂによる球体を形成するとともに上位の半球ブロック１ａからその支軸としてボルト４を，これら半球ブロック１ａ，１ｂの軸支用の透孔１４を貫通して支持ブロック３のボルト受孔３４に螺装してこれら上下位一対の半球ブロック１ａ，１ｂを水平方向回動自在に支持ブロック３上に軸支固定する一方，その半球ブロック１ａに上り傾斜の手摺バー用のブラケット２ａを，半球ブロック１ｂに下り傾斜の手摺バー用のブラケット２ｂを対として，半球ブロック１ａ，１ｂの各垂直突片１１をブラケット２ａ，２ｂのブラケット本体２１と挟持部材２３の挟持溝２４によって挟持し，その各湾曲ガイド溝１２にそれぞれガイド突起２６を嵌合することによって，その組立てを行うようにしてある。
【００２６】
従って垂直突片１１の挟持前又は挟持後にブラケット２ａ，２ｂに手摺バー６を連結すれば，手摺バー６は，該自在継手Ａの上下位一対の半球ブロック１ａ，１ｂが支柱５上で水平方向に回動自在であるとともに該半球ブロック１ａ，１ｂの垂直突片１１を挟持したブラケット２ａ，２ｂが，該垂直突片１１の湾曲ガイド溝１２に嵌合したガイド突起２６のスライドによって該ブラケット２ａ，２ｂの対接面２５が湾曲側面に対して上下首振り状に摺接して該ブラケット２ａ，２ｂが垂直方向に回動自在となるから，手摺設置の平地，傾斜地に応じて手摺バー６を支柱３上において水平方向，垂直方向に任意角度に３次元的な連結を行うことができる。
【００２７】
このとき本例の自在継手Ａは，各一対の半球ブロック１ａ，１ｂ及びブラケット２ａ，２ｂと単一の支持ブロック３との５部材によって可及的に部材数を減少した上で３次元的な連結を可能としたものとすることができ，上下位一対の半球ブロック１ａ，１ｂを球体とし，これを回動の中心としてブラケット２ａ，２ｂの対接面を該球体に摺接することによってブラケット２ａ，２ｂの上下首振りの回動を行うものとなり，球体は回動角度を確保するに必要な径のものとすれば足りるから，ブラケット２ａ，２ｂを支柱上で連結する中央配置の部材が殊更に大きくなることなく，比較的小さく形成し，従って該上下位一対の半球ブラケット１ａ，１ｂを使用することによって自在継手Ａを可及的にコンパクトなものとすることができ，また上記組立てを行うことによって手摺バー６の３次元的な連結ができるから，現場における手摺バー６の連結作業を可及的に簡易なものとすることができるとともに本例にあってはブラケット２ａ，２ｂをブラケット本体２１と挟持部材２３との２分割のものに分割形成したから，湾曲ガイド溝１２に対するガイド突起２６の嵌合を含めて現場における半球ブロック１ａ，１ｂの垂直突片１１の挟持溝２４への挟持を含めて上記連結作業を煩雑化するような構造を解消したものとすることができる。
【００２８】
更に本例の自在継手Ａは，上記上り傾斜の手摺バー連結用のブラケット２ａにおける対接面２５を正面円弧形状をなすものとしたから，半球ブロック１ａ乃至その球体に対してブラケット２ａが馴染むように面接してその端部に大きな欠損部分等が現出することによる外観不良を招くようなこともなく，良好な外観を確保することができる一方，下り傾斜の手摺バー連結用のブラケット２ｂにおける対接面２５を，外観に影響することが少ない下端において部分的に欠如して部分日食の月状として正面部分欠如の円弧形状としたから，自在継手Ａの外観を損なうことなく，該ブラケット２ｂが支持ブロック３に衝接してその回動角度が制限されるのを可及的に回避し，急傾斜等の箇所にあっても下り傾斜の手摺バー６を可及的に大きな角度で連結することができる。
【００２９】
図面の例は以上のとおりとしたが，半球ブロック，垂直突片，湾曲ガイド溝，ブラケット，ガイド突起，支持ブロック，必要に応じて用いるブラケット本体，挟持部材等の各具体的形状，構造，材質，これらの関係，これらに対する付加等は，上記発明の要旨に反しない限り様々な形態のものとすることができる。
【図面の簡単な説明】
【００３０】
【図１】自在継手の縦断面図である。
【図２】自在継手の横断面図である。
【図３】上位の半球ブロックの平面図である。
【図４】上位の半球ブロックの側面図である。
【図５】上位の半球ブロックの縦断面図である。
【図６】下位の半球ブロックの底面図である。
【図７】下位の半球ブロックの側面図である。
【図８】上位の半球ブロックの縦断面図である。
【図９】上り傾斜の手摺バー用のブロック本体の側面図である。
【図１０】図９のブロック本体に装着固定する挟持部材の側面図である。
【図１１】図８のブロック本体の縦断面である。
【図１２】図１０の挟持部材の縦断面図である。
【図１３】下り傾斜の手摺バー用のブロック本体の側面図である。
【図１４】図１３のブロック本体に装着固定する挟持部材の側面図である。
【図１５】図１４のブロック本体の縦断面である。
【図１６】図１４の挟持部材の縦断面図である。
【符号の説明】
【００３１】
Ａ  自在継手
１ａ，１ｂ  半球ブロック
１１  垂直突片
１２  湾曲ガイド溝
１３  円形凹陥部
１４  透孔
１ａ，１ｂ  ブラケット
２１  ブラケット本体
２２  ブラケット基部
２３  挟持部材
２４  挟持溝
２５  対接面
２６  ガイド突起
２７  欠如部
２８  手摺バー連結部
３  支持ブロック
３１  嵌合脚
３２  円形基部
３３  円形嵌合突起
３４  ボルト受孔
４  ボルト
５  支柱
６  手摺バー
【図１】
2007092359.tif 000003
【図２】
2007092359.tif 000004
【図３】
2007092359.tif 000005
【図４】
2007092359.tif 000006
【図５】
2007092359.tif 000007
【図６】
2007092359.tif 000008
【図７】
2007092359.tif 000009
【図８】
2007092359.tif 000010
【図９】
2007092359.tif 000011
【図１０】
2007092359.tif 000012
【図１１】
2007092359.tif 000013
【図１２】
2007092359.tif 000014
【図１３】
2007092359.tif 000015
【図１４】
2007092359.tif 000016
【図１５】
2007092359.tif 000017
【図１６】
2007092359.tif 000018